(57)【要約】      （修正有）【課題】自動的に展開可能なキャノピ・アセンブリを提供する。【解決手段】キャノピ・アセンブリは、少なくとも１つのキャノピ装置１０と、少なくとも１つのガイドケーブル２０と、少なくとも１つの連結装置３０と、駆動装置と、を備える。少なくとも１つのキャノピ装置は、展開方向に沿って展開可能である。少なくとも１つのキャノピ装置の各々は、キャノピ要素と、第１のキャノピ・クランプ部材を含む複数のキャノピ・クランプ部材と、を有する。少なくとも１つのガイドケーブルは、少なくとも１つのキャノピ装置の上方に配置されて、展開方向に沿って延在している。少なくとも１つの連結装置は、それぞれ少なくとも１つのキャノピ装置に連結されるとともに、少なくとも１つのガイドケーブル上に可動に取り付けられている。駆動装置は、少なくとも１つのキャノピ装置を展開方向に沿って展開させる駆動のために、少なくとも１つの連結装置に連結されている。【選択図】図１
2020058335.tif 000002
【特許請求の範囲】
【請求項１】
キャノピ・アセンブリであって、
展開方向に沿って展開可能である少なくとも１つのキャノピ装置であって、少なくとも１つのキャノピ装置の各々は、
キャノピ要素と、
前記キャノピ要素に取り付けられた複数のキャノピ・クランプ部材であって、互いに平行であるとともに、前記展開方向に対して垂直であり、前記展開方向に沿って他のキャノピ・クランプ部材の前方にある第１のキャノピ・クランプ部材を含む、複数のキャノピ・クランプ部材と、を有する、少なくとも１つのキャノピ装置と、
前記少なくとも１つのキャノピ装置の上方に配置されて、前記展開方向に沿って延在している、少なくとも１つのガイドケーブルと、
前記少なくとも１つのキャノピ装置にそれぞれ連結されるとともに、前記少なくとも１つのガイドケーブル上に可動に取り付けられた、少なくとも１つの連結装置であって、少なくとも１つの連結装置の各々は、
少なくとも１つの連結アセンブリを有し、前記少なくとも１つの連結アセンブリの各々は、前記少なくとも１つのキャノピ装置のうちの対応する１つの前記第１のキャノピ・クランプ部材に連結されるとともに、
前記少なくとも１つのキャノピ装置のうちの対応する１つの前記第１のキャノピ・クランプ部材に固定連結された下側ベースと、
上端と、前記下側ベースに接続された下端と、を有する接続ケーブルと、
前記接続ケーブルの前記上端に接続された上側ベースと、を含む、少なくとも１つの連結装置と、
前記少なくとも１つのキャノピ装置を前記展開方向に沿って展開させる駆動のために、前記少なくとも１つの連結装置に連結された駆動装置であって、
前記少なくとも１つの連結装置にそれぞれ固定連結された少なくとも１つの伝動アセンブリを有し、前記少なくとも１つの伝動アセンブリの各々は、
駆動要素に連結されて、前記駆動要素により駆動される駆動輪と、
従動輪と、
ループとして形成された伝動要素であって、前記駆動輪および前記従動輪の周りに取り付けられるとともに、前記上側ベースに固定連結された、伝動要素と、を含む、駆動装置と、を備え、
各キャノピ・クランプ部材は、該キャノピ・クランプ部材の頂部に取り付けられた少なくとも１つの下側ベース要素を有することと、
各キャノピ・クランプ部材の前記下側ベース要素の各々は、該下側ベース要素内に取り付けられたローラであって、前記少なくとも１つのガイドケーブルの１つに回転可能に取り付けられたローラを有することと、
前記少なくとも１つの連結装置の各々の前記少なくとも１つの連結アセンブリの各々の前記下側ベースは、前記少なくとも１つのキャノピ装置のうちの対応する１つの前記第１のキャノピ・クランプ部材上の前記少なくとも１つの下側ベース要素のうちの１つに枢結されていることと、を特徴とする、
キャノピ・アセンブリ。
【請求項２】
各キャノピ・クランプ部材は、
細長の上側クランプ部材であって、
底面を有する細長の上板と、
前記上板の前記底面の両側からそれぞれ下方に延出している２つの側板であって、各々の側板は、係合部を備えた自由端を有する、２つの側板と、
前記上板の前記底面と前記２つの側板の間に画成された細長の係合チャネルと、を含む、上側クランプ部材と、
前記上側クランプ部材と協働して対応するキャノピ要素をクランプするために、前記上側クランプ部材に取り外し可能に結合される、細長の下側クランプ部材であって、
前記上側クランプ部材の前記係合チャネルに挿入される細長の本体であって、両側部を有する、細長の本体と、
前記細長の本体の前記両側部にそれぞれ形成された２つの係合部であって、前記上側クランプ部材の前記側板の前記自由端の前記係合部と係合する、２つの係合部と、を含む、下側クランプ部材と、を有する、ことを特徴とする、請求項１に記載のキャノピ・アセンブリ。
【請求項３】
前記少なくとも１つの連結装置の各々の前記少なくとも１つの連結アセンブリの各々の前記上側ベースは、
上面を有する底板と、
前記底板の前記上面の両側にそれぞれ形成されて、そこから上方に突き出している、２つのサイドタブと、を含み、
前記少なくとも１つの連結装置の各々の前記少なくとも１つの連結アセンブリの各々の前記下側ベースは、
上面および底面を有する上側ベース板と、
前記上側ベース板の前記上面の両側にそれぞれ形成されて、そこから下方に突き出している２つのサイドタブと、を含み、
前記少なくとも１つのキャノピ装置の各々の各キャノピ・クランプ部材の前記少なくとも１つの下側ベース要素の各々は、
矩形形状であって、２対の相対する辺を有する、下側ベース板と、
前記下側ベース板の前記相対する辺の対のうちの一対にそれぞれ形成されて、そこから上方に突き出している２つの上サイドタブであって、前記下側ベースの前記サイドタブにそれぞれ枢結された、２つの上サイドタブと、
前記下側ベース板の前記相対する辺の対のうちの他方の一対にそれぞれ形成されて、そこから下方に突き出している２つの下サイドタブであって、前記キャノピ・クランプ部材のうちの対応する１つに連結された、２つの下サイドタブと、を含み、
前記少なくとも１つのキャノピ装置の各々の各キャノピ・クランプ部材の前記少なくとも１つの下側ベース要素の各々の中の前記ローラは、前記下側ベース要素内かつ前記下側ベース要素の前記上サイドタブの間に回転可能に取り付けられており、
前記連結装置の各々の前記少なくとも１つの連結アセンブリの各々の前記接続ケーブルは、該連結アセンブリの前記上側ベースの前記底板と該連結アセンブリの前記下側ベースの前記上側ベース板との間に接続されている、ことを特徴とする、請求項１に記載のキャノピ・アセンブリ。
【請求項４】
前記少なくとも１つの連結装置の各々の前記少なくとも１つの連結アセンブリの各々の前記上側ベースは、
前記上側ベースの前記底板を貫通して画成された保持孔であって、直径を有する保持孔と、
前記上側ベースの前記サイドタブをそれぞれ貫通して画成された２つの枢支孔であって、前記保持孔の前記直径よりも大きい直径をそれぞれ有する、２つの枢支孔と、
前記上側ベースの前記底板と前記サイドタブの１つを貫通して画成された連結溝であって、幅を有するとともに、前記保持孔と、該連結溝が画成されている前記サイドタブの前記枢支孔と、をそれぞれ連通している両端を有する、連結溝と、をさらに含み、
前記少なくとも１つの連結装置の各々の前記少なくとも１つの連結アセンブリの各々の前記下側ベースは、
前記下側ベースの前記上側ベース板を貫通して画成された保持孔であって、直径を有する保持孔と、
前記下側ベースの前記サイドタブをそれぞれ貫通して画成された２つの枢支孔であって、前記上側ベース板の前記保持孔の前記直径よりも大きい直径をそれぞれ有する、２つの枢支孔と、
前記下側ベースの前記上側ベース板と前記サイドタブの１つを貫通して画成された連結溝であって、幅を有するとともに、前記保持孔と、該連結溝が画成されている前記サイドタブの前記枢支孔と、をそれぞれ連通している両端を有する、連結溝と、をさらに含み、
前記少なくとも１つの連結装置の各々の前記少なくとも１つの連結アセンブリの各々の前記接続ケーブルは、
前記連結アセンブリの前記上側ベースおよび前記下側ベースの前記連結溝の前記幅よりも小さい直径を有し、
該接続ケーブルの前記上端に形成された上側球頭部であって、前記連結アセンブリの前記上側ベースの前記サイドタブの前記枢支孔の前記直径よりも小さく、かつ前記連結アセンブリの前記上側ベースの前記保持孔の前記直径よりも大きい直径を有する、上側球頭部と、
該接続ケーブルの前記下端に形成された下側球頭部であって、前記連結アセンブリの前記下側ベースの前記サイドタブの前記枢支孔の前記直径よりも小さく、かつ前記連結アセンブリの前記下側ベースの前記保持孔の前記直径よりも大きい直径を有する、下側球頭部と、を含む、ことを特徴とする、請求項３に記載のキャノピ・アセンブリ。
【請求項５】
前記少なくとも１つの連結装置の各々の前記少なくとも１つの連結アセンブリの各々は、
該連結アセンブリの前記上側ベースに枢結された伝動連結ベースであって、該連結アセンブリの前記上側ベースの前記サイドタブの間に取り付けられるとともに、前記少なくとも１つの伝動アセンブリのうちの対応する１つの前記伝動要素に固定連結された、伝動連結ベースをさらに含む、ことを特徴とする、請求項４に記載のキャノピ・アセンブリ。
【請求項６】
前記少なくとも１つの伝動アセンブリの各々の前記伝動要素は、
チェーンセグメントと、
該伝動要素をループとして形成するように、前記チェーンセグメントに接続されたケーブルセグメントと、を含み、
前記少なくとも１つの伝動アセンブリの各々の前記駆動輪は、該伝動アセンブリの前記チェーンセグメントと係合するスプロケットホイールである、ことを特徴とする、請求項５に記載のキャノピ・アセンブリ。
【請求項７】
各キャノピ・クランプ部材は湾曲していることと、
前記少なくとも１つの連結装置の各々は、
対応する第１のキャノピ・クランプ部材の中央に連結された、中間連結アセンブリと、
前記対応する第１のキャノピ・クランプ部材の両端にそれぞれ連結された、２つのサイド連結アセンブリと、を含む３つの連結アセンブリを有することと、
前記駆動装置は、
前記少なくとも１つの連結装置の前記中間連結アセンブリに連結された、中間伝動アセンブリと、
前記少なくとも１つの連結装置の前記サイド連結アセンブリに連結された、２つのサイド伝動アセンブリと、を含む３つの伝動アセンブリを有することと、
前記駆動装置は、前記伝動アセンブリを同時に動かすために、前記中間伝動アセンブリと前記サイド伝動アセンブリとの間に取り付けられた同時伝動アセンブリをさらに有し、前記同時伝動アセンブリは、
前記サイド伝動アセンブリの駆動輪に同軸連結された、同時駆動輪と、
前記中間伝動アセンブリの駆動輪に同軸連結された、同時従動輪と、
前記同時駆動輪および前記同時従動輪の周りに取り付けられて、前記同時駆動輪および前記同時従動輪に接続された、同時伝動要素と、を含むことと、を特徴とする、請求項１に記載のキャノピ・アセンブリ。
【発明の詳細な説明】
【技術分野】
【０００１】
本発明は、キャノピ・アセンブリに関し、より具体的には、自動的に展開可能なキャノピ・アセンブリに関するものである。
【背景技術】
【０００２】
スクリーンハウスまたは温室は、植物の栽培のために適用される。ところが、従来のスクリーンハウスまたは温室は、台風による損傷を受け易く、損傷したスクリーンハウスまたは温室の補修にはコストがかかる。また、温室に雨よけ制御効果を与えるために、温室の屋根にキャノピが配置されるが、そのキャノピは手作業で温室に配置され、これは面倒である。
【０００３】
特に、キャノピは、プラスチックシートであり、雨による植物の被害を防ぐための雨よけとして機能する。しかしながら、プラスチック製のキャノピを簡便に折り畳むことができない場合には、キャノピと植物との間に熱が蓄えられて、温度が上昇する。その結果、植物は熱による被害を受ける。
【発明の概要】
【発明が解決しようとする課題】
【０００４】
本発明の主な目的は、自動的に展開可能なキャノピ・アセンブリを提供することである。
【課題を解決するための手段】
【０００５】
キャノピ・アセンブリは、少なくとも１つのキャノピ装置と、少なくとも１つのガイドケーブルと、少なくとも１つの連結装置と、駆動装置と、を備える。少なくとも１つのキャノピ装置は、展開方向に沿って展開可能である。少なくとも１つのキャノピ装置の各々は、キャノピ要素と、第１のキャノピ・クランプ部材を含む複数のキャノピ・クランプ部材と、を有する。少なくとも１つのガイドケーブルは、少なくとも１つのキャノピ装置の上方に配置されて、展開方向に沿って延在している。少なくとも１つの連結装置は、それぞれ少なくとも１つのキャノピ装置に連結されるとともに、少なくとも１つのガイドケーブル上に可動に取り付けられている。駆動装置は、少なくとも１つのキャノピ装置を展開方向に沿って展開させる駆動のために、少なくとも１つの連結装置に連結されている。
【図面の簡単な説明】
【０００６】
【図１】本発明によるキャノピ・アセンブリの斜視図である。
【図２】図１のキャノピ・アセンブリの上面図である。
【図３】図１のキャノピ・アセンブリの側面図である。
【図４】図１のキャノピ・アセンブリの拡大側面図である。
【図５】図１のキャノピ・アセンブリの連結アセンブリの第１の実施形態の拡大斜視図である。
【図６】図５のキャノピ・アセンブリの連結アセンブリの端面図である。
【図７】図５のキャノピ・アセンブリの連結アセンブリの分解斜視図である。
【図８】図１のキャノピ・アセンブリの連結装置の第２の実施形態の側面図である。
【図９】図８のキャノピ・アセンブリの連結装置の拡大断面上面図である。
【図１０】展開されているキャノピ・アセンブリを示す、図１のキャノピ・アセンブリの使用側面図である。
【図１１】本発明によるキャノピ・アセンブリの他の実施形態の端面図である。
【図１２】図１１のキャノピ・アセンブリの側面図である。
【発明を実施するための形態】
【０００７】
図１〜４を参照する。本発明によるキャノピ・アセンブリは、少なくとも１つのキャノピ装置１０と、少なくとも１つのガイドケーブル２０と、少なくとも１つの連結装置３０と、駆動装置４０と、を備える。
【０００８】
少なくとも１つのキャノピ装置１０は展開方向に沿って展開可能である。好ましくは、複数のキャノピ装置１０を実現し、それらのキャノピ装置１０は、一列に配置されて、同じ展開方向に沿って展開可能である。各々のキャノピ装置１０は、キャノピ要素１２と、複数のキャノピ・クランプ部材１４と、を有する。
キャノピ要素１２は、ネットスクリーン、プラスチックシート、またはファブリックシートであり得る。それらのキャノピ・クランプ部材１４は、キャノピ要素１２に取り付けられて、互いに平行であるとともに展開方向に対して垂直であり、それらは、展開方向に沿って他のキャノピ・クランプ部材１４の前方にある第１のキャノピ・クランプ部材１４を含む。
【０００９】
図５および７を参照する。各々のキャノピ・クランプ部材１４は、細長の上側クランプ部材１５および細長の下側クランプ部材１６を有する。細長の上側クランプ部材１５は、細長の上板１５２と、２つの側板１５４と、細長の係合チャネル１５８と、を含む。細長の上板１５２は、底面を有する。それらの側板１５４は、上板１５２の底面の両側からそれぞれ下方に延出し、各々の側板１５４は、係合部１５６を備えた自由端を有する。これらの係合部１５６は、フックまたは突起であることが好ましい。細長の係合チャネル１５８は、上板１５２の底面と２つの側板１５４の間に画成される。
細長の下側クランプ部材１６は、上側クランプ部材１５と協働して対応するキャノピ要素１２をクランプするために、上側クランプ部材１５に取り外し可能に結合される。下側クランプ部材１６は、細長の本体１６２および２つの係合部１６４を含む。細長の本体１６２は、係合チャネル１５８に挿入されるものであって、両側部を有する。係合部１６４は、細長の本体１６２の両側部にそれぞれ形成されており、係合部１５６と係合する。これらの係合部１６４は、溝であり得る。
【００１０】
図１〜３を参照する。少なくとも１つのガイドケーブル２０は、キャノピ装置１０の上方に配置されて、展開方向に沿って延在している。好ましくは、複数のガイドケーブル２０を実現してよく、それらのガイドケーブル２０の数量は、各キャノピ要素１２の幅に依存し、本発明において限定されない。
【００１１】
さらに、図１、３〜５、および１０を参照する。各々のキャノピ・クランプ部材１４は、そのキャノピ・クランプ部材１４の頂部に取り付けられた少なくとも１つの下側ベース要素３６を有する。複数の下側ベース要素３６を実現してよく、各キャノピ・クランプ部材１４上の下側ベース要素３６の数量は、ガイドケーブル２０の数量と同じである。
各々の下側ベース要素３６は、その下側ベース要素３６内に回転可能に取り付けられたローラ３９を有し、ガイドケーブル２０の１つに取り付けられている。従って、キャノピ・クランプ部材１４をガイドケーブル２０に支持可能であり、キャノピ・クランプ部材１４の移動およびキャノピ要素１２の展開はスムーズである。
【００１２】
各々の下側ベース要素３６は、下側ベース板３６２と、２つの上サイドタブ３６４と、２つの下サイドタブ３６６と、を含む。下側ベース板３６２は、矩形形状であり、２対の相対する辺を有する。上サイドタブ３６４は、下側ベース板３６２の相対する辺の対のうちの一対にそれぞれ形成されて、そこから上方に突き出している。下サイドタブ３６６は、下側ベース板３６２の相対する辺の対のうちの他方の一対にそれぞれ形成されて、そこから下方に突き出しており、そしてキャノピ・クランプ部材１４のうちの対応する１つに連結されている。ローラ３９は、上サイドタブ３６４の間に取り付けられている。
【００１３】
少なくとも１つの連結装置３０は、それぞれ少なくとも１つのキャノピ装置１０に連結されるとともに、少なくとも１つのガイドケーブル２０上に可動に取り付けられている。好ましくは、複数の連結装置３０を実現してよく、それらの連結装置３０の数量は、ガイドケーブル２０の数量と同じである。各々の連結装置３０は、少なくとも１つの連結アセンブリ３２を有する。好ましくは、複数の連結アセンブリ３２を実現してよく、それらの連結アセンブリ３２の数量は、キャノピ装置１０の数量と同じである。
【００１４】
図５〜７を参照する。各々の連結アセンブリ３２は、下側ベース３５と、上側ベース３３と、接続ケーブル３７と、伝動連結ベース３１と、を含む。下側ベース３５は、キャノピ装置１０のうちの対応する１つの第１のキャノピ・クランプ部材１４上の下側ベース要素３６の１つに固定連結されている。
【００１５】
好ましくは、下側ベース３５は、上側ベース板３５２および２つのサイドタブ３５６を含む。それらのサイドタブ３５６は、上側ベース板３５２の上面の両側にそれぞれ形成されて、そこから下方に突き出しており、対応する下側ベース要素３６の上サイドタブ３６４にそれぞれ枢結されている。
【００１６】
上側ベース３３は、駆動装置４０に連結されている。好ましくは、上側ベース３３は、底板３３２および２つのサイドタブ３３６を含む。それらのサイドタブ３３６は、底板３３２の上面の両側にそれぞれ形成されて、そこから上方に突き出している。
【００１７】
接続ケーブル３７は、上側ベース３３に接続された上端と、下側ベース３５に接続された下端を有する。好ましくは、接続ケーブル３７の両端にそれぞれ上側球頭部３７２と下側球頭部３７４が形成されている。底板３３２を貫通して保持孔３３４が画成されている。サイドタブ３３６をそれぞれ貫通して２つの枢支孔３３７が画成されており、それぞれの枢支孔３３７は、保持孔３３４の直径よりも大きい直径を有する。
底板３３２とサイドタブ３３６の１つを貫通して、連結溝３３８が画成されており、その両端は、それぞれ、保持孔３３４と、その連結溝３３８が画成されているサイドタブ３３６の枢支孔３３７と、を連通している。上側ベース板３５２を貫通して保持孔３５４が画成されている。サイドタブ３５６をそれぞれ貫通して２つの枢支孔３５７が画成されており、それぞれの枢支孔３５７は、保持孔３５４の直径よりも大きい直径を有する。上側ベース板３５２とサイドタブ３５６の１つを貫通して、連結溝３５８が画成されており、その両端は、それぞれ、保持孔３５４と、その連結溝３５８が画成されているサイドタブ３５６の枢支孔３５７と、を連通している。
接続ケーブル３７の直径は、連結溝３３８、３５８の幅よりも小さい。上側球頭部３７２の直径は、枢支孔３３７の直径よりも小さく、かつ保持孔３３４の直径よりも大きい。下側球頭部３７４の直径は、枢支孔３５７の直径よりも小さく、かつ保持孔３５４の直径よりも大きい。
【００１８】
従って、接続ケーブル３７の上端を上側ベース３３に接続するためには、上側球頭部３７２を枢支孔３３７に通して挿入し、接続ケーブル３７の上端部分を連結溝３３８に通して延在させる。上側球頭部３７２は、保持孔３３４の直径よりも大きい直径を有するので、上側球頭部３７２は保持孔３３４に係合可能であり、接続ケーブル３７の上端は、上側ベース３３に接続される。
【００１９】
接続ケーブル３７の下端を下側ベース３５に接続するためには、下側球頭部３７４を枢支孔３５７に通して挿入し、接続ケーブル３７の下端部分を連結溝３５８に通して延在させる。下側球頭部３７４は、保持孔３５４の直径よりも大きい直径を有するので、下側球頭部３７４は保持孔３５４に係合可能であり、接続ケーブル３７の下端は、下側ベース３５に接続される。
【００２０】
図１、３、および４を参照する。駆動装置４０は、キャノピ装置１０を展開方向に沿って同時に展開させる駆動のために、少なくとも１つの連結装置３０に連結されている。駆動装置４０は、少なくとも１つの連結装置３０にそれぞれ固定連結された少なくとも１つの伝動アセンブリ４２を有する。好ましくは、複数の伝動アセンブリ４２を実現し、伝動アセンブリ４２の数量は、連結装置３０の数量と同じである。各々の伝動アセンブリ４２は、駆動輪４４と、従動輪４６と、伝動要素４８と、を含む。それらの駆動輪４４はすべて駆動要素に連結されて、その駆動要素により駆動可能である。駆動要素は、ギアボックスを有するモータであり得る。好ましくは、それらの駆動輪４４は、駆動軸で互いに連結されている。また、それらの従動輪４６は、従動軸で互いに連結されている。
伝動要素４８は、ループとして形成されて、駆動輪４４および従動輪４６の周りに取り付けられており、さらに、対応する連結装置３０の連結アセンブリ３２の上側ベース３３に固定連結されている。好ましくは、伝動要素４８は、チェーンセグメント４８２とケーブルセグメント４８４とを含む。伝動要素４８をループとして形成するように、ケーブルセグメント４８４の両端は、チェーンセグメント４８２の両端に接続されている。駆動輪４４は、チェーンセグメント４８２とそれぞれ係合するスプロケットホイールである。
【００２１】
また、図５および６をさらに参照する。各々の連結アセンブリ３２は、上側ベース３３に枢結された伝動連結ベース３１をさらに含み、これは、サイドタブ３３６の間に取り付けられるとともに、伝動要素４８に固定連結されている。
【００２２】
ケーブルセグメント４８４に対応した各々の伝動連結ベース３１は、２つの半ベース要素で構成されており、これらが互いに結合されて、ケーブルセグメント４８４をクランプしている。
【００２３】
図８および９を参照する。チェーンセグメント４８２に対応した各々の伝動連結ベース３１Ａは、複数のチェーン連結タブ３１２を有し、これらは、伝動連結ベース３１Ａの上面に形成されて、そこから突き出しており、そしてチェーンセグメント４８２に係合している。
【００２４】
図１および３を参照する。キャノピ・アセンブリが退避位置にあるときには、キャノピ要素１２は折り畳み状態にあり、キャノピ・クランプ部材１４は、互いに接近してコンパクトな位置にある。
さらに図１０を参照する。キャノピ・アセンブリを展開させるためには、駆動要素をオンにして、駆動輪４４を回転駆動する。その結果、伝動要素４８は、駆動輪４４により回転駆動される。伝動要素４８の回転に伴って、連結アセンブリ３２および第１のキャノピ・クランプ部材１４は、伝動要素４８により動かされる。これにより、キャノピ要素１２の張力で、キャノピ・クランプ部材１４を１つずつ次々に動かすことができる。従って、それらのキャノピ要素１２を展開方向に沿って同時かつ自動的に展開させることが可能である。
【００２５】
キャノピ・アセンブリを退避させるためには、駆動要素により駆動輪４４を逆方向に回転駆動して、伝動要素４８を逆方向に回転させる。これにより、第１のキャノピ・クランプ部材１４を後退方向に動かすことができ、その他のキャノピ・クランプ部材１４を１つずつ次々に後退方向に押して動かすことができる。その結果、それらのキャノピ要素１２を同時かつ自動的に折り畳むことが可能である。
【００２６】
球頭部３７２、３７４と上側ベース３３および下側ベース３５との間の接続によって、上側ベース３３および下側ベース３５と接続ケーブル３７との間に万能調整効果を提供できる。キャノピ・アセンブリが平滑ではない場所に取り付けられている場合に、連結装置３０の伝動によって、それらのキャノピ・クランプ部材１４を同じくスムーズに動かすことができる。
【００２７】
キャノピ・アセンブリは、温室またはスクリーンハウスの屋根に取り付けることが可能であり、または育成地の上方に直接取り付けられる。キャノピ・アセンブリが展開されているときには、そのキャノピは、遮光制御もしくは防虫効果を提供するために、雨よけまたは日よけとして機能可能である。
【００２８】
図１１および１２を参照する。各々のキャノピ・クランプ部材１４Ａは湾曲しており、各々の連結装置３０Ａは、中間連結アセンブリ３２Ａと２つのサイド連結アセンブリ３２Ｂとを含む３つの連結アセンブリ３２Ａ、３２Ｂを有する。中間連結アセンブリ３２Ａは、サイド連結アセンブリ３２Ｂの位置よりも高い位置に配置されて、対応する第１のキャノピ・クランプ部材１４Ａの中央に連結されている。２つのサイド連結アセンブリ３２Ｂは、対応する第１のキャノピ・クランプ部材１４Ａの両端にそれぞれ連結されている。
駆動装置４０Ａは、中間伝動アセンブリ４２Ａと２つのサイド伝動アセンブリ４２Ｂとを含む３つの伝動アセンブリ４２Ａ、４２Ｂを有する。中間伝動アセンブリ４２Ａは、中間連結アセンブリ３２Ａに連結されており、サイド伝動アセンブリ４２Ｂは、サイド連結アセンブリ３２Ｂに連結されている。本実施形態における連結アセンブリ３２Ａ、３２Ｂおよび伝動アセンブリ４２Ａ、４２Ｂのそれぞれは、図１に示す実施形態におけるものと同一の構造を有するので、それらの詳細な説明は省略する。
駆動装置４０Ａは、さらに、伝動アセンブリ４２Ａ、４２Ｂを同時に動かすために、中間伝動アセンブリ４２Ａとサイド伝動アセンブリ４２Ｂとの間に取り付けられた同時伝動アセンブリ４３を有する。同時伝動アセンブリ４３は、同時駆動輪４３２と、同時従動輪４３４と、同時伝動要素４３６と、を含む。同時駆動輪４３２は、駆動輪４４Ｂに同軸連結されている。同時従動輪４３４は、駆動輪４４Ａに同軸連結されている。同時伝動要素４３６は、同時駆動輪４３２および同時従動輪４３４の周りに取り付けられて、それらに接続されている。駆動要素は、駆動輪４４Ｂおよび同時駆動輪４３２に連結されている。
【００２９】
従って、駆動要素がオンにされると、駆動輪４４Ｂおよび同時駆動輪４３２が回転駆動される。また、同時駆動輪４３２、同時伝動要素４３６、および同時従動輪４３４の伝動によって、駆動輪４４Ａも同時に回転駆動される。これにより、湾曲形状のキャノピ要素１２を展開させるために、湾曲したキャノピ・クランプ部材１４Ａをスムーズに動かすことができる。さらに、好ましくは、同時駆動輪４３２および同時従動輪４３４はスプロケットホイールであり、同時伝動要素４３６はチェーンである。
【図１】
2020058335.tif 000003
【図２】
2020058335.tif 000004
【図３】
2020058335.tif 000005
【図４】
2020058335.tif 000006
【図５】
2020058335.tif 000007
【図６】
2020058335.tif 000008
【図７】
2020058335.tif 000009
【図８】
2020058335.tif 000010
【図９】
2020058335.tif 000011
【図１０】
2020058335.tif 000012
【図１１】
2020058335.tif 000013
【図１２】
2020058335.tif 000014